(57)【要約】【課題】無線通信基板直上に配置した外装ビスのレイアウトと外部からの静圧や衝撃に強いカメラを提供すること。【解決手段】撮像装置本体の縦方向に、直径の異なるストロボ発光用コンデンサと鏡筒駆動用モータとを円筒形中心軸を平行に並べ、ストロボ発光用コンデンサまたは鏡筒駆動用モータの小径側の側面に隣接する位置に無線通信基板を配置し、且つ外装ビスと無線通信基板に搭載された無線通信アンテナとを平面的に重ならないように配置する撮像装置において、メインシャーシは、外装ビスの締結手段を有し、無線通信基板の短手方向に平行に延出した延設部が形成され、サイドカバーは、無線通信基板を覆う外観部と、前記延設部と対向した方向に延出したリブ形状が形成され、前記延設部は、サイドカバーに形成された外観部とリブ形状に挟み込まれることを特徴とする。【選択図】  図４
2014123870.tif 000002
【特許請求の範囲】
【請求項１】
撮像装置本体の縦方向に、直径の異なるストロボ発光用コンデンサ（５３）と鏡筒駆動用モータ（２１）とを円筒形中心軸を平行に並べ、
ストロボ発光用コンデンサ（５３）または鏡筒駆動用モータ（２１）の小径側の側面に隣接する位置に無線通信基板（１１）を配置し、
且つ外装ビス（１００）と無線通信基板に搭載された無線通信アンテナ（１１ａ）とを平面的に重ならないように配置する撮像装置において、
メインシャーシ（１３）は、無線通信基板の短手方向に平行に延出した延設部（１３ｄ）を有し、前記延設部には外装ビスの締結手段が形成され、
サイドカバー（４２）は、無線通信基板を覆う外観部（４２ａ）と、前記延設部と対向した方向に延出したリブ形状（４２ｄ）が形成され、
前記延設部（１３ｄ）は、サイドカバーに形成された外観部（４２ａ）とリブ形状（４２ｄ）に挟み込まれることを特徴とする撮像装置。
【請求項２】
無線通信基板（１１）はメインシャーシ（１３）から前記延設部（１３ｄ）と直交する方向に延出した延設部（１３ｂ）にビス（１４）で固定されることを特徴とする請求項１に記載の撮像装置。
【請求項３】
外装ビス（１００）の底面と無線通信基板（１００）とのクリアランス（Ｌ１）は、前記リブ形状（４２ｄ）と無線通信基板を固定するビス（１４）とのクリアランス（Ｌ２）より大きく設定することを特徴とする請求項２に記載の撮像装置。
【請求項４】
外装ビス（１００）はコネクタ部（１１ｄ）の直上に配置されていることを特徴とする請求項３に記載の撮像装置。
【請求項５】
コネクタ（１１ｄ）はフリップタイプであり、外装ビス（１００）の底面とコネクタのクリアランスは、コネクタのフリップを開けるストロークよりも小さく設定することを特徴とする請求項４に記載の撮像装置。
【発明の詳細な説明】
【技術分野】
【０００１】
本発明は、デジタルカメラなどの撮像装置に関し、特に、無線通信用アンテナを有する撮像装置に関する。
【背景技術】
【０００２】
現在デジタルカメラは購買層が拡大し、新しい購買層からはデジタルカメラの小型化が求められている。一方で、撮影済みの画像を有線で接続することなく、アクセスポイントへの通信を無線で行うための無線通信用アンテナを搭載していることが望まれている。また、前記使用状態では、使用者がデジタルカメラを保持したまま転送したい画像を選択することが多いため、デジタルカメラ保持状態でも無線通信が可能なデジタルカメラを提供することが望まれている。
【０００３】
特許文献１に開示された従来技術では、デジタルカメラの把持を良好するために備えられた非金属から成る把持部に、無線通信アンテナを備えた基板を取り付けてユニット化することでいくらかの無線通信性能の向上と小型化は行っている。
【先行技術文献】
【特許文献】
【０００４】
【特許文献１】特開２００９−２２５２３５号公報
【発明の概要】
【発明が解決しようとする課題】
【０００５】
しかしながら、無線通信基板もしくは無線通信アンテナの配置には種々の制約を伴う。例えば、金属製の外観部品の下や、デジタルカメラの使用者の手で覆われてしまう場所に配置すると、通信距離が著しく低下してしまい、データ転送に時間がかかる、または、通信ができなくなる可能性が高い。更に、無線通信アンテナ周囲の素子は熱を持つことが多く、撮影者が触りやすい箇所には配置しないか、無線通信アンテナ周囲に熱伝達することを防ぐために断熱効果のある空気層を広く確保する必要がある。
【０００６】
使い勝手やデジタルカメラの小型化を考えると、無線通信基板は、デジタルカメラの使用者の指が触れにくい場所に配置するのがよい。また、デザイン上も無線通信アンテナのための凸部を設けることなく平面内にきれいに配置されることが好まれる。従って、無線通信基板はデジタルカメラグリップ側と反対面に配置することが望ましい。
【０００７】
然しながら、無線通信基板をデジタルカメラのグリップと反対側に配置すると、必然的に金属製の前後カバーを締結する外装ビスが無線通信基板の投影面内上に配置することが多くなる。前述のように無線通信アンテナの直上に金属から成る外装ビスを配置することができない為、無線通信基板に搭載されたコネクタや素子等の直上に配置することになる。単に外装ビスを配置すると、外部からの静圧や衝撃を受けた際に無線通信基板に搭載されたコネクタや素子等と外装ビスが衝突し、破壊する恐れがある。そこで、無線通信基板に搭載されたコネクタや素子等と外装ビスのクリアランスを大きくするとデジタルカメラが大型化しやすくなる。
【課題を解決するための手段】
【０００８】
本発明は、係る問題点に鑑み、無線通信基板をデジタルカメラのグリップと反対側で、且つカメラの縦方向に、ストロボ発光用コンデンサと鏡筒駆動用モータとを円筒形中心軸を平行に並べて配置する。なお且つ、ストロボ発光用コンデンサをカメラの横方向に鏡筒駆動用モータより突出させ、鏡筒駆動用モータとの段差に無線通信基板を配置している。そして、無線通信基板の投影面内の上で、且つ無線通信アンテナの直上を除いた位置に外装ビスを配置している。外装ビスの締結手段は、板金部材より成るメインシャーシから延出した延出部に形成されている。無線通信基板を覆い外観部を構成する樹脂より成るサイドカバーに前記延出部と対向して延出されたリブ形状が形成されている。前記リブ形状は、外装ビスの締め付け方向に対して前記延出部を支えるように形成されることにより、外部からの静圧や衝撃に対する剛性を上げたことを特徴とする。
【発明の効果】
【０００９】
本発明は、小型で撮影者の指で隠し難い場所に無線通信用基板を配置し、デザイン的にも目立ち難いカメラを提供することと、無線通信基板の投影面内の上で、且つ無線通信アンテナの直上の位置に配置した外装ビスから無線通信基板を守ることを目的とする。
【図面の簡単な説明】
【００１０】
【図１】（ａ）本発明に関わる撮像装置の正面斜視図である。（ｂ）本発明に関わる撮像装置の背面斜視図である。
【図２】本発明の実施例に係る無線通信基板の保持と組立に関わる斜視図である。
【図３】本発明の実施例に係る外装カバーと外装ビスの組立に関わる斜視図である。
【図４】（ａ）本発明に関わる撮像装置本体の完成状態を示す図である。（ｂ）本発明の実施例に関わる外装ビスの配置を示す詳細断面図である。
【発明を実施するための形態】
【００１１】
以下に、本発明の好ましい実施形態を、添付の図面に基づいて詳細に説明する。
【実施例１】
【００１２】
図１は本発明の実施形態に係わる外観図である。図１（ａ）は本実施例に係る撮像装置を正面から見た斜視図、図１（ｂ）は背面から見た斜視図である。
【００１３】
図１（ａ）、（ｂ）において１は撮像装置本体であり、撮像装置本体１には被写体像を撮像素子に結像する撮影光学系レンズ鏡筒２が固定されている。
【００１４】
撮像装置本体１は、フロントカバー４１およびリアカバー８１、サイドカバー４２から外観が構成されている。フロントカバー４１およびリアカバー８１はアルミニウム、ステンレス等の金属製の板材をプレス加工等の加工を施すことにより形成される。サイドカバー４２は樹脂で形成され、フロントカバー４１に対して、両面テープや接着剤等により接着固定されユニット化される。
【００１５】
撮影光学系レンズ鏡筒２は沈胴式のズームレンズで撮影レンズおよびズーム機構、シャッタ機構等を搭載した、公知の鏡筒である。携帯時は撮像装置本体１の中に沈胴している。
【００１６】
撮影光学系レンズ鏡筒２の後方には、光学像を光電変換して画像データを生成するＣＣＤやＣＭＯＳイメージセンサ等の撮像素子（不図示）が実装されている。
【００１７】
撮像装置本体１は、カメラの中央処理装置であるＣＰＵを搭載し、各々のフレキシブル配線基板を電気的に接続するためのコネクタを備えているメイン基板（不図示）が実装されている。
【００１８】
撮像装置本体１の右上方には、撮影時に被写体の明るさが足りない時に発光するストロボユニット５が設けられている。
【００１９】
撮像装置本体１の中央には、自動合焦の精度を向上させる時に発光するＡＦ＿ＬＥＤ窓４３と撮像装置に内蔵したマイクに音声を取り込むマイク穴４４が設けられている。
【００２０】
撮像装置本体１上面には、上面操作ユニット６が設けられている。上面操作ユニット６には、電源ボタン６１、シャッターボタン６２、回転操作型のズームレバー６３が取り付けられている。
【００２１】
撮像装置本体１の下方には、電池蓋７があり、電源となる主電池と撮影された被写体像を記録する記録媒体を収納する電池室を開閉可能としている。主電池は使い切り式一次電池の場合もあり充電式電池の場合もある。
【００２２】
電池蓋７を開くことによって、電池室が開口し主電池と記録媒体が挿脱可能になる。
【００２３】
図１（ｂ）は本発明の電子撮像装置を後ろ方向から見た斜視図を示している。撮像装置本体１のグリップ側側面はストラップ用の形状が設けられているジャック側サイドカバー９１、電源や信号の入出力用ジャックが設けられジャック保護用のカバー部材９２、９３で外観が構成されている。カバー部材９２、９３を開くことで入出力用ジャックへの各種ケーブル類の抜き差しが可能となる。
【００２４】
撮像装置本体１の背面には、液晶表示装置（ＬＣＤ）１０が設けられている。液晶表示装置（ＬＣＤ）１０は撮像する被写体像の確認や、撮像された画像の再生表示に用いられる。液晶表示装置（ＬＣＤ）１０の横には、複数の操作ボタン群８２が設けられている。複数の操作ボタン群８２は、例えば撮影条件の変更、ＬＣＤの表示形態の変更、再生画面への切換えといった、機能を指示する際に利用する。
【００２５】
以下、図２乃至図４を参照して、本発明の実施例による撮像装置本体の構成について説明する。
【００２６】
図２は本発明の無線通信基板を保持する構成および組立方法を示す斜視図である。
【００２７】
無線通信基板１１は、外部との無線通信の際に機能する部材である。一般に、無線通信に利用する電波は、金属よりも樹脂の方が透過しやすい。また、カメラの使用者の手で覆われてしまう場所に配置すると通信距離が低下しやすい。そこで、無線通信基板１１は、金属製のフロントカバーやリアカバーの直下ではなく、更に撮像装置本体のグリップ側と反対側に構成された樹脂から成るサイドカバー４１の直下に配置することにした。これにより、無線通信用基板１１が外部に対して電波を送受信しやすくなるので、良好に無線通信を行うことを可能としている。また、ストロボユニット５に搭載された大径の発光用のメインコンデンサ５３と撮影光学系レンズ鏡筒２に搭載された小径のズーム駆動用モータ２１との径差に配置することで、撮像装置本体の横方向の小型化を図っている。
【００２８】
前記無線通信基板１１上には、無線通信アンテナ１１ａおよび位置決め穴１１ｂ、固定用のビス穴１１ｃ、メイン基板と無線通信基板を電気的接続するフレキシブル基板１２を挿入するためのコネクタ１１ｄ等を搭載している。前記コネクタ１１ｄとメイン基板がフレキシブル基板により接続されることで電気的導通が確保されている。
【００２９】
前記無線通信アンテナ１１ａ近傍に金属体を配置すると無線通信に影響を与え、通信距離が低下する可能性がある。そこで、金属製のビスで固定されるビス穴１１ｃと前記コネクタは、無線通信アンテナ１１ａとは反対側の端に併設されている。また、前記コネクタ１１ｄは無線通信基板の長手方向を小型化する為に短手方向と平行に配置されている。前記位置決め穴１１ｂは通信用アンテナの位置を正確に決めるため、通信用アンテナ近傍に配置されることが望ましい。
【００３０】
無線通信基板１１は、メインシャーシ１３と発光部ホルダ５１を組み合わせて保持されている。
【００３１】
メインシャーシ１３は、撮影光学系レンズ鏡筒２、電池室（不図示）、ストロボユニット５等を固定し、電気的グランド電位となるよう構成された板金部材より成る。メインシャーシ１３は、無線通信基板１１を固定するビス締結部１３ａを形成する延設部１３ｂ、フロントカバー４１およびリアカバー８１、サイドカバー４２を共締め固定するビス締結部１３ｃを形成する延設部１３ｄを形成している。延設部１３ｂは、無線通信基板に接続されるフレキシブル基板１２の挿入方向と折り曲げ方向に延出して形成されている。こうすることで、フレキシブル基板１２はメインシャーシの延設部１３ｂの曲げ部と当接することになりフレキシブル基板を傷つけないように配慮してある。延設部１３ｄは、フロントカバーユニット４の組み立て方向（図３参照）に対して反対方向に延出して形成されている。無線通信基板を固定するビス１４の組み立てを阻害しない程度に延出されている。延設部１３ｂと延設部１３ｄには、無線通信基板１１を組み込む為の空間が設けられている。延設部１３ｂと延設部１３ｄは同一部材により構成されていて、お互いに寸法管理されており、撮像装置本体の小型化を達成するために、無線通信基板１１が組立可能な範囲で最小な空間設定されている。
【００３２】
ストロボユニット５は、ストロボ発光部５１が発光部ホルダ５２に組み付けられる構成になっている。ストロボ発光部５１は反射傘、発光管、発光窓、ストロボ基板、メインコンデンサ５３等から構成される公知の発光部である。発光部ホルダ５２は、樹脂部材から成り、発光部ホルダに設けられた位置決め軸（不図示）がメインシャーシに設けられた位置決め穴（不図示）に入り込み、ビス締結により固定される構成になっている。発光部ホルダ５２は、無線通信基板１１と位置決めを行う位置決め軸５２ａおよび無線通信用基板の浮き抑えを行うフック形状５２ｂを形成している。フック形状５２ｂは、位置決め軸５２ａと無線通信用基板の短手方向と略平行に併設している。フック形状５２ｂは前記延設部１３ｄと同方向に延出して形成されている。
【００３３】
無線通信基板１１は、前記延設部１３ｄと前記延設部１３ｂの間に出来た空間に潜り込まれると同時に、フック部５２ｂに挟み込まれる。無線通信基板が挟持されるフック部と無線通信用基板の板厚はお互い寸法管理されており、所定の隙間を設けてある。フック部に挟持された後、発光部ホルダに設けた位置決め５２ａに無線通信基板の位置決め穴１１ｂに入れ込む。次に、無線通信基板に設けたビス穴１１ｃとメインシャーシの延出部に設けたビス締結部１３ａにビス締めすることで、無線通信基板１１を固定することができる。無線通信基板１１上の不図示の素子は通信時間が長くなると、発熱量が増えるため、素子の発熱により回路を破壊してしまう恐れがある。そこで、無線通信基板１１をメインシャーシ１３とビス締結することで、無線通信時の発熱を効率的に熱伝導することができる。
【００３４】
図３は、本発明のフロントカバーユニット４とリアカバーユニット８の組立を示す斜視図である。フロントカバー４１とサイドカバー４２は両面テープや接着剤等により固定されユニット化されている。リアカバー８１と背面操作部材８２は両面テープや接着剤等により固定されユニット化されている。フロントカバーユニット４とリアカバーユニット８は、光軸３と水平方向に組み立てられて、撮像装置本体１を完成させる。外装ビス１００、１０１、１０２、１０３は光軸方向ではなく撮像装置本体の横方向や下方向の光軸と直角の方向からねじ込まれる。ストロボ側側面にねじ込まれる外装ビス１００、１０１は、金属製のため無線通信基板に搭載された無線アンテナ１１ａの電波を阻害しない位置に配置しなければならない。また、外装ビス１００と１０１は撮像装置本体の正面から見て右上と右下の稜線から落下した際に、フロントカバー４１とリアカバー８１が開かないように極力稜線近傍に配置することが望ましい。さらに、撮像装置本体１の幅方向の小型化を達成するために、無線通信基板１１上で基板厚み方向において最も低い位置に外装ビスを配置する必要がある。本実施系では、フレキシブル基板１２を接続するためのコネクタ１１ｄの直上に外装ビスを配置することで、無線アンテナの電波を阻害することなく、なお且つ撮像装置本体の幅方向を抑えた構成とすることができる。
【００３５】
図４（ａ）は撮像装置本体１の完成状態を示し、図４（ｂ）は本発明の構成の詳細を示す撮像装置本体のＡ−Ａ断面図である。
【００３６】
サイドカバー４２には、外観を構成する外観部４２ａ、外装ビス１００をビス締結するビス穴４２ｂ、外装ビスのビス頭をサイドカバーの外観部４２ａより凸することを防ぐ凹部４２ｃ、外観部４２ａとコの字形状を形成するリブ形状４２ｄが設けられている。
【００３７】
リアカバー８１には、サイドカバーの外観部４２ａに潜り込み外装ビス１００のビス締結するビス穴８１ｂを形成するシェービング形状８１ａを設けている。前記シェービング形状はリアカバーの組み立て方向に延出して形成されている。
【００３８】
撮像装置本体１が完成した状態において、同一方向に延出している延設部１３ｄとシェービング形状８１ａは、前記延設部１３ｄとシェービング形状８１ａと反対方向から延出しているサイドカバーの外観部４２ａと前記外観部とコの字形状を形成するリブ形状４２ｄにより挟持される。
【００３９】
撮像装置本体１の幅方向を小型化するために、外装ビス１００とコネクタ１１ｄのクリアランスＬ１はなるべく小さい方がよい。然しながら、クリアランスを小さくすると外部からの静圧や衝撃Ｆが加わった際に、外装ビスがコネクタを破壊する恐れがあった。
【００４０】
そこで、コネクタ１１ｄと外装ビス１００のクリアランスＬ１よりもリブ形状４２ｄと基板締結ビス１４のクリアランスＬ２を小さくすることで、コネクタ１１ｄと外装ビス１００が先当たりすることを防止することができる。本実施系において先当たりする箇所は、無線通信基板１１を保持する箇所で最も剛性の高い部分である基板締結ビス１４が望ましい。
【００４１】
リアカバーユニットのみが外部から静圧や衝撃を受けた際も、リアカバーのシェービング形状８１ａとメインシャーシの延設部１３ｄを介してリブ形状４２ｄに力が加わり、基板締結ビス１４に先当たりすることになる。
【００４２】
上記構成とすることで、撮像装置本体の幅方向の小型化を達成しつつ、外部からの静圧や衝撃に強い構造とすることができた。
【符号の説明】
【００４３】
１  撮像装置本体
１１  無線通信基板
１１ｄ無線通信基板上のコネクタ
１３  メインシャーシ
１３ｂ  メインシャーシの外装ビス締結手段を有する延設部
１３ｄ  メインシャーシの無線通信基板締結手段を有する延設部
１４  無線通信基板固定ビス
４１  フロントカバー
４２  サイドカバー
４２ａ  サイドカバーの外観部
４２ｂ  サイドカバーのビス穴
４２ｃ  サイドカバーの凹部
４２ｄ  サイドカバーのリブ形状
８１  リアカバー
８１ａ  リアカバーのシェービング形状
８１ｂ  リアカバーのビス穴
１００  外装ビス
Ｆ  外部からの静圧や衝撃
Ｌ１  無線通信基板上のコネクタと外装ビスのクリアランス
Ｌ２  サイドカバーのリブ形状と無線通信基板固定ビスのクリアランス
【図１】
2014123870.tif 000003
【図２】
2014123870.tif 000004
【図３】
2014123870.tif 000005
【図４】
2014123870.tif 000006